(57)【特許請求の範囲】
【請求項１】
面戸主板と、該面戸主板に対してその外周に略直角状に折り曲げ形成された外周折曲部と、前記面戸主板に対向して形成され、且つ断面略偏平Ｓ字形状をなすと共に弾性を有して前記面戸主板側に固着且つ付勢されその下部が前記面戸主板に当接又は近接する押え板を備えた固定部と、前記外周折曲部と略同一面上で，且つ前記固定部の幅方向両側箇所に形成された補助板と、前記面戸主板の上端に幅方向に突出形成されてなる固定支持板とからなる止面戸と、底面部の幅方向両側より立上り側部が形成されると共に、前記底面部の長手方向に直交し且つ底面部の上方に略直角状に立ち上り形成された水上側立上り部を有する折板屋根とからなり、前記水上側立上り部に前記止面戸の面戸主板と共に補助板と、押え板とで挟持するようにして固定されてなり、前記外周折曲部が、折板屋根の底面部及び立上り側部に当接され、前記固定支持板は折板屋根の谷状部の幅方向両側の両山形部の頂部に載置されてなることを特徴とする止面戸取付構造。
【発明の詳細な説明】
【０００１】
【発明の属する技術分野】
本発明は、所定間隔で山形状部が連続する折板タイプの金属屋根に簡易且つ迅速に装着することができる止面戸に関する。
【０００２】
【従来の技術】
従来より、山形部の幅方向両端に馳締タイプの連結屈曲部が形成された金属製の屋根板にて構成される折板屋根が多く施工されている。このような屋根板にて葺成された金属屋根の棟側又は水上側端部の修めでは、止面戸が装着され、棟側又は水上側の端部から折板屋根の谷形部分（隣接する山形状部間に形成される断面略逆台形状の部分）を略遮断状するように塞ぎ、棟側又は水上側端部から多量の雨水，強風等が浸入することを防止する役目をなすものである。
【０００３】
【発明が解決しようとする課題】
ところで、棟側箇所又は水上側端部には、エプロン，棟包み材等の部材が装着されるが、このような複数の部材を装着しなければならないことから、施工は極めて面倒且つ困難である。さらに、一旦取り付けられた止面戸は、その位置を変更することは不可能であり、装着位置の微調整も必ずしも容易にできるものではなかった。
【０００４】
【課題を解決するための手段】
そこで発明者は、前記問題点を解決すべく、鋭意，研究を重ねた結果、本発明を、面戸主板と、該面戸主板に対してその外周に略直角状に折り曲げ形成された外周折曲部と、前記面戸主板に対向して形成され、且つ断面略偏平Ｓ字形状をなすと共に弾性を有して前記面戸主板側に固着且つ付勢されその下部が前記面戸主板に当接又は近接する押え板を備えた固定部と、前記外周折曲部と略同一面上で，且つ前記固定部の幅方向両側箇所に形成された補助板と、前記面戸主板の上端に幅方向に突出形成されてなる固定支持板とからなる止面戸と、底面部の幅方向両側より立上り側部が形成されると共に、前記底面部の長手方向に直交し且つ底面部の上方に略直角状に立ち上り形成された水上側立上り部を有する折板屋根とからなり、前記水上側立上り部に前記止面戸の面戸主板と共に補助板と、押え板とで挟持するようにして固定されてなり、前記外周折曲部が、折板屋根の底面部及び立上り側部に当接され、前記固定支持板は折板屋根の谷状部の幅方向両側の両山形部の頂部に載置されてなる止面戸取付構造としたことにより、多数の折板タイプの建築用板の山形部同士を重合して施工された屋根への取付を容易にでき、しかもその嵌合部箇所を比較的広く塞ぐことができ、風を伴う雨等の浸入を回避することができ上記課題を解決したものである。
【０００５】
【発明の実施の形態】
以下、本発明の実施例を図面に基づいて説明する。本発明の止面戸Ａは、主に面戸主板１と、固定部２とから構成される〔図１（Ａ）参照〕。まず、その面戸主板１は、正面より見て略逆台形状をなしている。これは、山形部が所定間隔をおいて連続する金属製の折板屋根Ｂ、即ち隣接する山形部間における逆台形状の谷形状部と略同一形状としたもので、装着したときに、適正に合うような形状としている〔図１（Ｂ）参照〕。
【０００６】
また、谷形状部の幅方向の傾斜辺に括れ部分，突出部分等が存在する場合には、面戸主板１側にもそのような部位に対応する形状となる。したがって、面戸主板１は、折板屋根Ｂの谷形状部の大きさに応じて種々のサイズに形成するものである。
【０００７】
その面戸主板１の外周には、外周折曲部１ａが形成されている。該外周折曲部１ａは、面戸主板１に対して略直角状に折り曲げ形成されたものである。その外周折曲部１ａは、具体的には前記面戸主板１の逆台形状の底辺及び両斜辺のそれぞれの部分に沿って外周折曲部１ａが形成されている〔図１（Ａ），（Ｂ）参照〕。
【０００８】
さらに固定部２は、前記面戸主板１に対向するようにして面戸主板１に固着されている。具体的には、その固定部２は、押え板２ａと固着片２ｂとから構成され、該固着片２ｂが前記面戸主板１に固着される。その固着手段としては、リベット締め，溶接等である〔図１（Ａ），（Ｂ）参照〕。
【０００９】
その押え板２ａは、〔図４（Ａ）参照〕断面略偏平Ｓ字形状をなしており、その下部が面戸主板１に当接又は近接するようになっている。押え板２ａの幅方向両側には、補助板２ｃ，２ｃが形成されている。該補助板２ｃ，２ｃは、前記外周折曲部１ａと略同一面となるように形成されている〔図４（Ｂ）参照〕。
【００１０】
その補助板２ｃ，２ｃは、平坦状をなしており、その補助板２ｃと前記押え板２ａとで後述する折板屋根Ｂの水上側立上り部５ａを挟持するようになっている。その補助板２ｃには、リブ２ｃ1 が形成されており、補助板２ｃの力学的強度を向上させ、該補助板２ｃに耐久性を与えるものである。
【００１１】
次に、面戸主板１の上端には、頂面部１ｂが形成され、該頂面部１ｂの幅方向両端で、且つ前記面戸主板１の幅方向両端から固定支持板３，３が形成されている。前記頂面部１ｂは、面戸主板１の上端箇所から略直角に折り曲げ形成されたものである〔図１（Ａ），（Ｂ）参照〕。
【００１２】
その頂面部１ｂの幅方向両側で且つ面戸主板１の幅方向両端から突出する部分が前記固定支持板３，３となっている。また、両固定支持板３，３の裏面側には粘着部４が設けられることもあり、該粘着部４を介して、折板屋根Ｂの山形部の頂部に固着される。該粘着部４は、シートタイプのもので離形シートを剥がして使用するタイプのものである〔図１（Ｂ）参照〕。
【００１３】
また、面戸主板１の幅方向両側且つ上方箇所に凹部１ｃ，１ｃが形成されることがある。該凹部１ｃ，１ｃの具体的な形状は、略三角形切欠状であり、後述する折板屋根板Ｂ1 の嵌合屈曲部９，９に対応して形成されるものである。そして、止面戸を折板屋根Ｂに装着したときに、嵌合屈曲部９，９が凹部１ｃ，１ｃに嵌合することができる〔図１（Ｂ），図３等参照〕。
【００１４】
本発明の第２実施形態では、前記面戸主板１の外周部分に外周折曲部１ａが形成されていないものである。また、固定部２は、押え板２ａのみが設けられ、前記補助板２ｃ，２ｃは、設けられていない〔図７（Ａ），（Ｂ）参照〕。本実施形態では、面戸主板１と固定部２の押え板２ａにて、折板屋根Ｂの水上側立上り部５ａを挟持するものである〔図７（Ｃ）参照〕。
【００１５】
次に、折板屋根Ｂを構成する折板屋根板Ｂ1 については、底面部５の幅方向両側より立上り側部６，６が形成されている。そして、その立上り側部６，６の一方の上方には、被重合山形部７が形成され、他方側の立上り側部６には重合山形部８が形成されている（図５参照）。また、前記底面部５には、中間山形部１０が形成されることもある。該中間山形部１０は、前記被重合山形部７及び重合山形部８等と略同一形状であり、中間山形部１０にも嵌合屈曲部９，９が形成されている。
【００１６】
前記被重合山形部７と、重合山形部８とはともに台形山形状に形成され、頂部が平坦状に形成されており、前記被重合山形部７上に重合山形部８が重合され、重合タイプの連結部１１が構成される。また被重合山形部７及び重合山形部８にはそれぞれ嵌合屈曲部９，９が形成されており、被重合山形部７の嵌合屈曲部９，９と、重合山形部８の嵌合屈曲部９，９同士が嵌合して、被重合山形部７と重合山形部８とが重合，且つ嵌合手段により固定するものである（図５参照）。
【００１７】
次に、止面戸Ａを折板屋根Ｂの水上側端部又は棟部箇所へ装着する構造について説明する。まず、底面部５の幅方向両側より立上り側部６，６が形成され、該立上り側部６の一方側には被重合山形部７が、他方の立上り側部６には重合山形部８が形成された折板屋根Ｂの底面部５の水上側端部に、その底面部５の長手方向に直交し且つ底面部５の上方に略直角状に立ち上る水上側立上り部５ａを形成し、該水上側立上り部５ａに、面戸主板１と、該面戸主板１に対向して形成され、且つ弾性を有して前記面戸主板１側に付勢される押え板２ａを備えた固定部２とからなる止面戸Ａを前記面戸主板１と押え板２ａとで挟持するようにして固定する構造としたものである（図２，図３参照）。
【００１８】
その折板屋根Ｂの底面部５の水上側の端部には、水上側立上り部５ａが形成されている（図５参照）。該水上側立上り部５ａは、その底面部５の長手方向に直交する立上り状壁のようにして形成されたものであり、底面部５から上方に略直角に屈曲形成されたものである。その水上側立上り部５ａの幅方向両側は部分は前記立上り側部６，６に交わる部位が存在し、該部位は円弧状に屈曲する。
【００１９】
その水上側立上り部５ａの形成は、専用工具１４が使用される。該専用工具１４は、略二股状の挟持部１４ａと操作杆１４ｂとからなり、その挟持部１４ａで、前記底面部５の水上側端部を挟持し、その操作杆１４ｂを回動させることにより、底面部５の水上側端部が折り曲げられて、水上側立上り部５ａが形成されるものである〔図６（Ａ），（Ｂ），（Ｃ）参照〕。
【００２０】
次に、棟包み材１２は、折板屋根Ｂの水上側箇所を被覆する役目をなすものであって、緩傾斜部１２ａ，１２ａが略対称的に形成され、その断面形状が略へ字状の偏平山形形状となり、この山形部の両端より下方に折返し縁１２ｂ，１２ｂがそれぞれ形成されている。
【００２１】
【作用】
まず、多数の折板屋根板Ｂ1 ，Ｂ1 ，…の被重合山形部７と重合山形部８とが重合される。このとき、両被重合山形部７と重合山形部８との嵌合屈曲部９，９同士が嵌合される。次に、底面部５の水上側端部が専用工具１４の挟持部１４ａによって、水上側立上り部５ａが形成される〔図６（Ａ），（Ｂ），（Ｃ）参照〕。
【００２２】
次に、本発明の止面戸Ａを折板屋根Ｂの各谷形部に配置し、押え板２ａと両補助板２ｃ，２ｃとの間で前記水上側立上り部５ａを挟持する。このとき面戸主板１の外周折曲部１ａが、折板屋根Ｂの底面部５及び立上り側部６，６に当接している。また固定支持板３には粘着部４が設けられ、該粘着部４の離形シートを剥がして、折板の両山形部の頂部に貼着される。
【００２３】
さらに、面戸主板１と折板の底面部５及び立上り側部６，６との間にコーキング剤を充填して水密性を備える。これによって、止面戸Ａが谷状部に固定される。次に、棟包み材１２が棟部箇所を被覆するようにして配置される。
【００２４】
【発明の効果】
請求項１の発明は、面戸主板1と、該面戸主板１に対してその外周に略直角状に折り曲げ形成された外周折曲部１ａと、前記面戸主板１に対向して形成され、且つ断面略偏平Ｓ字形状をなすと共に弾性を有して前記面戸主板１側に固着且つ付勢されその下部が前記面戸主板１に当接又は近接する押え板２ａを備えた固定部２と、前記外周折曲部１ａと略同一面上で，且つ前記固定部２の幅方向両側箇所に形成された補助板２ｃと、前記面戸主板１の上端に幅方向に突出形成されてなる固定支持板３とからなる止面戸Ａと、底面部５の幅方向両側より立上り側部６，６が形成されると共に、前記底面部５の長手方向に直交し且つ底面部５の上方に略直角状に立ち上り形成された水上側立上り部を有する折板屋根Ｂとからなり、前記水上側立上り部５ａに前記止面戸Ａの面戸主板１と共に補助板２ｃと、押え板２ａとで挟持するようにして固定されてなり、前記外周折曲部１ａが、折板屋根Ｂの底面部５及び立上り側部６，６に当接され、前記固定支持板３は折板屋根Ｂの谷状部の幅方向両側の両山形部の頂部に載置されてなる止面戸取付構造としたことにより、該止面戸を折板屋根Ｂに簡易且つ迅速に装着することができ、ひいてはその折板屋根Ｂの水上端部箇所を広く塞いで、風を伴う雨等の浸入を回避することができる。
【００２５】
上記効果を詳述すると、金属製の折板屋根Ｂの隣接する山形状部間に形成された谷部における底面部５の水上側端部箇所に略垂直壁状の水上側立上り部５ａを折曲形成するのみで、後は該水上側立上り部５ａを止面戸Ａの面戸主板１と押え板２ａとで間で挟持状態にすることにより、止面戸Ａを固定することができる。この作業は極めて簡単なものであり、且つ迅速に行うことができる。これによって、折板屋根Ｂの水上端部箇所を広く塞いで、風を伴う雨等の浸入を回避することができる。
【００２６】
次に、前記面戸主板１の周囲には外周折曲部１ａが形成され、該外周折曲部１ａと略同一面上で，且つ前記固定部２の幅方向両側箇所に補助板２ｃ，２ｃが形成されたことにより、まず第１に面戸主板１を力学的に強固にすることができるし、第２に止面戸Ａの装着状態を安定したものにすることができる。
【００２７】
その面戸主板１の外周部分に形成した外周折曲部１ａが形成されることで、該外周折曲部１ａが止面戸Ａにおける補強部の役目をなすことができるとともに、前記外周折曲部１ａが折板屋根Ｂの谷状部の底面部５及び両立上り側部６，６に対して、略面接合状態となり、これによって止面戸Ａと折板屋根Ｂとの接合性をより一層良好なるものとすることができる。
【００２８】
さらに、止面戸Ａに上記外周折曲部１ａが形成されるとともに、押え板２ａの幅方向両側に補助板２ｃ，２ｃが形成されており、該補助板２ｃ，２ｃは前記外周折曲部１ａと略同一高さとしているので、前記止面戸Ａを水上側立上り部５ａに装着する場合においては、押え板２ａと，前記外周折曲部１ａと略同一高さとした補助板２ｃ，２ｃとの間で水上側立上り部５ａを挟持することができ、止面戸Ａは、水上側立上り部５ａに対して、略平行状態で固定することができる。
【００２９】
次に、前記面戸主板１の上端には、幅方向に突出する固定支持板３が形成されてなる止面戸Ａとしたことにより、該固定支持板３を折板屋根Ｂの谷状部の幅方向両側の両山形部の頂部に載置することにより、止面戸Ａをさらに安定した状態で装着することができる。
【００３０】
面戸主板１の幅方向両端から突出する固定支持板３の裏面側に粘着部４が設けられてなる止面戸としたことにより、その粘着部４を介して固定支持板３を山形部の頂部に粘着することができ、装着後のガタツキを防止することができる。また、止面戸Ａと、底面部５の長手方向に直交し且つ底面部５の上方に略直角状に立ち上り形成された水上側立上り部５ａを有する折板屋根Ｂとからなり、前記水上側立上り部５ａに前記止面戸Ａの面戸主板１と押え板２ａとで挟持することにより、止面戸の屋根への取付を容易することができるものである。
【図面の簡単な説明】
【図１】（Ａ）は本発明の固定部側から見た斜視図
（Ｂ）は本発明の固定部側から見た背面図
【図２】本発明の止面戸を装着した棟の縦断側面図
【図３】本発明の止面戸を折板屋根の水上端部に装着した斜視図
【図４】（Ａ）は図１（Ｂ）のＸ1 ─Ｘ1 矢視断面図
（Ｂ）は図１（Ｂ）のＸ2 ─Ｘ2 矢視断面図
【図５】折板屋根の水上側立上り部を示す斜視図
【図６】（Ａ）は専用工具１４にて水上側立上り部が形成しようとする状態を示す縦断側面図
（Ｂ）は水上側立上り部が形成が完了した状態を示す縦断側面図
（Ｃ）は水上側立上り部に止面戸を装着する状態図
本発明の形態の要部分解斜視図
【図７】（Ａ）は本発明の第２実施形態の斜視図
（Ｂ）は（Ａ）のＸ3 ─Ｘ3 矢視断面図
（Ｃ）は本発明の第２実施形態を水上側立上り部に装着した縦断側面図
【符号の説明】
Ａ…止面戸
１…面戸主板
１ａ…外周折曲部
２…固定部
２ａ…押え板
２ｃ…補助板
３…固定支持板
【図１】
0004021122.tif 000002
【図２】
0004021122.tif 000003
【図３】
0004021122.tif 000004
【図４】
0004021122.tif 000005
【図５】
0004021122.tif 000006
【図６】
0004021122.tif 000007
【図７】
0004021122.tif 000008